(57)【要約】【課題】特定の記録装置から記録された原本であることを、その原本において後に示すことができる記録装置を提供する。【解決手段】インクを吐出することにより被記録物に記録を行う記録装置であって、視覚的に判別が難しい隠し記号を格納する隠し記号格納部と、被記録物に記録する記録情報を取得する記録情報取得部と、被記録物に可視光で反射する色インクを吐出する領域を、記録情報に基づいて抽出する吐出領域抽出部と、記録情報に基づいて色インクを吐出して記録を行うとともに、吐出領域抽出部により抽出された領域内に、紫外線に対して蛍光を発する蛍光インクを吐出して、隠し記号を記録する記録部とを備える。【選択図】図１
2005170007.tif 000002
【特許請求の範囲】
【請求項１】
インクを吐出することにより被記録物に記録を行う記録装置であって、
視覚的に判別が難しい隠し記号を格納する隠し記号格納部と、
被記録物に記録する記録情報を取得する記録情報取得部と、
前記被記録物に可視光で反射する色インクを吐出する領域を、前記記録情報に基づいて抽出する吐出領域抽出部と、
前記記録情報に基づいて色インクを吐出して記録を行うとともに、前記吐出領域抽出部により抽出された前記領域内に、紫外線に対して蛍光を発する蛍光インクを吐出して、前記隠し記号を記録する記録部と
を備える記録装置。
【請求項２】
前記記録部は、前記被記録物において蛍光インクにより前記記録が行われた場所を示す場所情報を、前記色インクにより前記被記録物に記録する請求項１に記載の記録装置。
【請求項３】
前記記録部は、前記場所情報をコード化して前記被記録物に記録する請求項２に記載の記録装置。
【請求項４】
前記記録部は、蛍光インクにより行われた前記記録の内容を示す内容情報を、前記場所情報に対応付けて前記被記録物に記録する請求項２に記載の記録装置。
【請求項５】
前記記録部は、前記場所情報および前記内容情報をコード化して前記被記録物に記録する請求項４に記載の記録装置。
【請求項６】
前記吐出領域抽出部は、基準値よりも色の濃い領域を、前記記録情報に基づいて抽出する請求項１に記載の記録装置。
【請求項７】
前記吐出領域抽出部は、周囲の領域の色の濃さよりも濃い領域を、前記記録情報に基づいて抽出する請求項１に記載の記録装置。
【請求項８】
インクを吐出することにより被記録物に記録を行う記録方法であって、
視覚的に判別が難しい隠し記号を隠し記号格納部に格納し、
被記録物に記録する記録情報を取得し、
前記被記録物に可視光で反射する色インクを吐出する領域を、前記記録情報に基づいて抽出し、
前記記録情報に基づいて色インクを吐出して記録を行うとともに、抽出された前記領域内に、紫外線に対して蛍光を発する蛍光インクを吐出して、前記隠し記号を記録する
記録方法。
【請求項９】
インクを吐出することにより被記録物に記録を行う記録装置を制御するプログラムであって、コンピュータに、
視覚的に判別が難しい隠し記号を隠し記号格納部に格納する手順、
被記録物に記録する記録情報を取得する手順、
前記被記録物に可視光で反射する色インクを吐出する領域を、前記記録情報に基づいて抽出する手順、および
前記記録情報に基づいて色インクを吐出して記録を行うとともに、抽出された前記領域内に、紫外線に対して蛍光を発する蛍光インクを吐出して、前記隠し記号を記録する手順
を実行させるプログラム。
【発明の詳細な説明】
【技術分野】
【０００１】
本発明は、記録装置、記録方法、およびプログラムに関する。特に本発明は、インクを吐出することにより被記録物に記録を行う記録装置、記録方法、およびプログラムに関する。
【背景技術】
【０００２】
従来、原本である原稿に可視光を照射し、原稿から反射する可視光に基づいて原稿を複写する複写装置が知られている（例えば、特許文献１参照。）。
【特許文献１】特開２００３−２８０２４７号公報（段落「０００２」）
【発明の開示】
【発明が解決しようとする課題】
【０００３】
上記複写装置によって、原本を複写すると、原本と複写物とを区別することは困難であった。そのため、公共機関等から発行された公文書等のように原本であることの確認が必要な文書において、原本であるか否かを区別することが難しいという課題があった。
【０００４】
そこで本発明は、上記の課題を解決することのできる記録装置、記録方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態は、インクを吐出することにより被記録物に記録を行う記録装置であって、視覚的に判別が難しい隠し記号を格納する隠し記号格納部と、被記録物に記録する記録情報を取得する記録情報取得部と、被記録物に可視光で反射する色インクを吐出する領域を、記録情報に基づいて抽出する吐出領域抽出部と、記録情報に基づいて色インクを吐出して記録を行うとともに、吐出領域抽出部により抽出された領域内に、紫外線に対して蛍光を発する蛍光インクを吐出して、隠し画像を記録する記録部とを備える。記録後の被記録物に紫外線を照射することにより、蛍光インクで記録された隠し画像を検出することで、隠し画像を記録する記録装置によってその記録物が記録されたことを認識することができる。従って、記録物が特定の記録装置によって記録されたことを認識することができる。また、可視光を利用した光学的な複写装置を用いて、隠し画像が記録された原本が複写された場合、隠し画像は複写されない。これにより、複写物に紫外線を照射することにより、複写物が原本ではないことを判別することができる。
【０００６】
記録部は、被記録物において蛍光インクにより記録が行われた場所を示す場所情報を、色インクにより被記録物に記録するのが好ましい。被記録物に記録された場所情報を参照することにより、記録後の被記録物において、隠し画像が記録された場所を容易に特定することができる。また、記録部は、場所情報をコード化して被記録物に記録するのがさらに好ましい。これにより、コードを解読することができない閲覧者は、記録後の被記録物において、隠し画像が記録された場所を容易に特定することができない。従って、コードを解読することができない閲覧者による記録物の複製を防止することができる。
【０００７】
記録部は、蛍光インクにより行われた記録の内容を示す内容情報を、場所情報に対応付けて被記録物に記録してもよい。記録後の被記録物に記録された内容情報を参照することにより、より容易に隠し画像を認識することができる。さらに、記録部は、場所情報および内容情報をコード化して被記録物に記録するのが好ましい。コード化された内容情報と被記録物に記録された隠し画像とを照合することにより、紫外線を照射されることで検出された被記録物に記録された隠し画像が、確かに記録されるべき隠し画像であることを認識することができる。
【０００８】
吐出領域抽出部は、基準値よりも色の濃い領域を、記録情報に基づいて抽出する。これにより、記録部は、基準値よりも色の濃い領域に、隠し画像を記録することができる。そのため、蛍光インクが可視光の一部を反射する場合であっても、蛍光インクが反射する光を目立たなくすることができる。従って、可視光によって隠し画像が容易に認識されることを防止することができる。また、吐出領域抽出部は、周囲の領域の色の濃さよりも濃い領域を、記録情報に基づいて抽出してもよい。これにより、記録情報が全体として薄い色である場合に、記録部は、記録情報中のより色の濃い領域に、隠し画像を記録することができる。
【０００９】
本発明の第２の形態は、インクを吐出することにより被記録物に記録を行う記録方法であって、視覚的に判別が難しい隠し記号を隠し記号格納部に格納し、被記録物に記録する記録情報を取得し、被記録物に可視光で反射する色インクを吐出する領域を、記録情報に基づいて抽出し、記録情報に基づいて色インクを吐出して記録を行うとともに、抽出された領域内に、紫外線に対して蛍光を発する蛍光インクを吐出して、隠し画像を記録する。これにより、第１の形態と同様の効果を得ることができる。
【００１０】
本発明の第３の形態は、インクを吐出することにより被記録物に記録を行う記録装置を制御するプログラムであって、コンピュータに、視覚的に判別が難しい隠し記号を隠し記号格納部に格納する手順、被記録物に記録する記録情報を取得する手順、被記録物に可視光で反射する色インクを吐出する領域を、記録情報に基づいて抽出する手順、および記録情報に基づいて色インクを吐出して記録を行うとともに、抽出された領域内に、紫外線に対して蛍光を発する蛍光インクを吐出して、隠し画像を記録する手順を実行させる。これにより、第１の形態と同様の効果を得ることができる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本発明の一実施形態に係る記録システム１０の構成を示す。記録システム１０は、記録装置２０およびＰＣ（Ｐｅｒｓｏｎａｌ  Ｃｏｍｐｕｔｅｒ）３０を備える。ＰＣ３０は、記録装置２０と通信可能に接続され、被記録物２２０に記録する記録情報を記録装置２０に送る。記録装置２０は、ＰＣ３０から受け取った記録情報に基づいて、被記録物２２０に記録を行う。本実施形態は、特定の記録装置２０から記録された原本であることをその原本において後に示すことができると共に、可視光を利用した光学的な複写装置を用いてこの原本から複写物が作られた場合に、複写物が原本ではないことを判別することができる記録装置２０を提供することを目的とする。記録装置２０は、記録部２００、この記録部２００を制御する制御部２３０、および制御部２３０の動作に用いられるプログラムを格納する記録媒体２４０を備える。制御部２３０は、隠し記号格納部２３２、記録画像形成部２３４、吐出領域抽出部２３６、および記録情報取得部２３８を有する。
【００１４】
記録情報取得部２３８は、被記録物２２０に記録する記録情報をＰＣ３０から取得する。記録情報は、画像情報、文字情報、またはその両方を含む。吐出領域抽出部２３６は、可視光を反射する色インクを被記録物２２０に吐出する領域を、記録情報に基づいて抽出し、記録情報および抽出した領域を記録画像形成部２３４へ送る。隠し記号格納部２３２は、文字や文字列、記号、絵柄、画像等の隠し記号を格納する。隠し記号は、紫外線に対して蛍光を発する蛍光インクを用いて被記録物２２０に記録される。記録画像形成部２３４は、記録情報に基づいて記録画像を形成する。また、記録画像形成部２３４は、吐出領域抽出部２３６が抽出した領域に、隠し記号格納部２３２から読み出した隠し記号を嵌めこむ。さらに、記録画像形成部２３４は、隠し記号が記録される場所を示す場所情報および隠し記号の内容を示す内容情報をコード化したバーコードを上記記録画像に重畳する。
【００１５】
記録部２００は、略直方体状の本体２０２と、本体２０２の長手方向に沿って設けられたガイド軸２１０と、ガイド軸２１０に沿って移動可能なキャリッジ２０４と、本体２０２にガイド軸２１０と平行に設けられ、被記録物２２０を搬送する搬送ローラ２１２とを備える。キャリッジ２０４は、記録ヘッド２０６およびインクカートリッジ２０８を有する。インクカートリッジ２０８は、可視光に応じて特定の波長の光を反射する色インク、および、紫外線に対して蛍光を発する蛍光インクを内部に保持している。インクカートリッジ２０８は、色インクとして、黒色、シアン色、マゼンタ色および黄色のインクを保持している。インクカートリッジ２０８は、それらのインクをキャリッジ２０４の下面に設けられた記録ヘッド２０６に供給する。なお、蛍光インクは、可視光を透過することが好ましい。記録ヘッド２０６は、被記録物２２０と対向する面に複数のノズルを有し、それらのノズルからインクを吐出してドットを被記録物２２０に着弾させることにより被記録物２２０に画像を記録する。
【００１６】
記録部２００は、記録画像形成部２３４から受け取った記録画像に基づいて、キャリッジ２０４をガイド軸２１０に沿って被記録物２２０の搬送方向と略直交する走査方向へ往復移動させながら、搬送ローラ２１２が回転することによって搬送方向に搬送される被記録物２２０上に、記録ヘッド２０６から色インクを吐出することにより、被記録物２２０に記録画像を記録する。この場合に、記録部２００は、隠し記号の場所情報および内容情報を示すバーコードを黒色のインクで記録する。次に、被記録物２２０に吐出された色インクが乾く程度の所定の時間が経過した後、搬送ローラ２１２が逆回転して、記録画像が記録された被記録物２２０を、記録を開始する位置まで搬送方向と逆方向へ搬送する。そして、再び、キャリッジ２０４をガイド軸２１０に沿って走査方向へ往復移動させながら、記録部２００が、搬送方向に搬送される被記録物２２０上に、記録ヘッド２０６から蛍光インクを吐出することにより、記録画像が記録された被記録物２２０に隠し記号を記録する。
【００１７】
このように、蛍光インクを用いて被記録物２２０に隠し記号を記録することにより、記録後の被記録物２２０に紫外線を照射した場合、隠し記号が紫外線に対して蛍光するので、特定の記録装置２０によって記録された原本であることをその原本において示すことができる。また、記録された原本が可視光を利用した光学的な複写装置を用いて複写された場合に隠し記号は蛍光インクを用いては複写されない。そのため、複写物に紫外線を照射することにより、複写物が原本ではないことを判別することができる。さらに、光学的に記録画像４０の画像を取り込み、電子データとして出力するスキャナ装置等により複写がされる場合にも同様の効果を奏する。なお、記録情報には隠し記号の情報が含まれていない。そのため、原本の記録情報の電子データを入手した場合であっても、本実施形態の記録装置２０を用いなければ、隠し記号が埋め込まれた記録物を作成することはできない。
【００１８】
記録媒体２４０は、記録装置２０に、隠し記号格納部２３２、記録画像形成部２３４、吐出領域抽出部２３６、および記録情報取得部２３８として機能させるプログラムを格納する。記録媒体２４０は、例えばＤＶＤ、ＰＤ等の光学記録媒体、ＭＤ等の光磁気記録媒体、テープ媒体、磁気記録媒体、または半導体記録装置等であってよい。記録装置２０は、これらのプログラムを、記録媒体２４０から読み取って実行する。また、記録装置２０は、例えばインターネット網等の通信回線を介して、これらのプログラムを取得してもよい。なお、本例において記録装置２０が制御部２３０を有しているが、他の例として、ＰＣ３０が、制御部２３０を有していてもよい。
【００１９】
図２は、被記録物２２０に記録された記録画像４０の一例を示す。記録画像４０は、記録ヘッド２０６のノズルから吐出されるインクのドットにより被記録物２２０に記録される。記録画像４０は、バーコード４８を有する。領域４２は、色インクが吐出されない領域を示し、領域４４および領域４６は、色インクが吐出される領域を示す。吐出領域抽出部２３６は、記録情報を例えば所定の面積の領域に分割する。それぞれの領域の面積は、例えば隠し記号を記録する領域の面積に対応して決められる。吐出領域抽出部２３６は、領域４４および領域４６等の色インクを吐出する領域を抽出する。
【００２０】
ここで、蛍光インクは、可視光の一部を反射して、例えば黄色などの色がついて見える場合がある。この場合、被記録物２２０上の色インクが吐出されない領域４２等に蛍光インクが吐出されると、蛍光インクが吐出された領域が可視光下で黄色を反射することにより、蛍光インクで記録された隠し記号が目立ってしまう。そこで、本実施形態における吐出領域抽出部２３６は、基準値よりも色の濃い領域を画像情報に基づいて抽出し、記録部２００は、吐出領域抽出部２３６により抽出された領域に隠し記号を記録する。一例として、基準値は、被記録物２２０の所定の領域に蛍光インクで記録された隠し記号が可視光を照射されたときに見えてしまう色の濃さと略同一の色の濃さとなる黄色の色インクを吐出した場合のドット密度に設定される。基準値は、予め実験等により決められ、吐出領域抽出部２３６に格納される。図２において、吐出領域抽出部２３６が領域４６を抽出し、記録部２００がこの領域４６に隠し記号「ＯＲＧ」を記録した例を示した。これにより、本実施形態の記録装置２０により記録された被記録物２２０に紫外線が照射されると、領域４６の場所から「ＯＲＧ」の蛍光による文字が浮き出る。
【００２１】
記録部２００は、吐出領域抽出部２３６より抽出された色の濃い領域に色の薄い隠し記号を記録するので、可視光下での蛍光インクの色を目立たなくすることができる。従って、可視光下において隠し記号が容易に認識されることを防止することができる。なお、吐出領域抽出部２３６は、基準値よりも濃い領域として複数の領域を抽出した場合、最も色の濃い領域を隠し記号を記録する領域として抽出するのが好ましい。また、記録情報が文字情報のみである場合であっても、文字が密に記録されている領域、すなわち所定領域内の色インクの点の数が基準値より多い領域に隠し記号を記録することによって、記録装置２０は、可視光下での蛍光インクの色を目立たなくすることができる。
【００２２】
また、他の例として、吐出領域抽出部２３６は、周囲の領域の色の濃さよりも濃い領域を、記録情報に基づいて抽出してもよい。この場合、吐出領域抽出部２３６は、例えば隣接する４つの領域に対して３つ以上の領域よりも色が濃い領域、例えば図２における領域４６を隠し記号を記録する領域として抽出する。これにより、広い領域に渡って色の濃さが略均一な場所に隠し記号を記録する場合に比べて、隠し記号をより目立たないように記録することができる。また、記録情報が全体として薄い色である場合に、記録部２００は、記録情報中のより色の濃い領域に、隠し記号を記録することができる。
【００２３】
バーコード４８は、記録画像４０において隠し記号が記録された場所を示す場所情報および隠し記号の内容を示す内容情報を有する。内容情報は、場所情報に対応付けられており、隠し記号として例えばどのような画像が、どのような大きさで記録されているか等を示す。バーコード４８が有する場所情報を参照することにより、記録画像４０における隠し記号が記録された場所を容易に把握することができる。バーコード４８が有する内容情報と、記録画像４０の隠し記号とを照合することにより、紫外線が照射されることで検出された記録画像４０の隠し記号が、確かに記録されるべき隠し記号であることを認識することができる。さらに、バーコード４８は、場所情報および内容情報をコード化しており、肉眼では場所情報および内容情報を認識することができない。これにより、コードを解読することができない閲覧者は、隠し記号が記録された記録画像４０上の場所を容易に特定することができない。従って、コードを解読することができない閲覧者による記録物の複製を防止することができる。
【００２４】
図３は、記録装置２０の動作の一例を示すフローチャートである。記録情報取得部２３８は、ＰＣ３０から記録情報を取得する（Ｓ１００）。そして、吐出領域抽出部２３６は、色インクを吐出する領域の中で、基準値よりも色の濃い領域を記録情報取得部２３８により取得された記録情報に基づいて抽出する（Ｓ１０２）。記録画像形成部２３４は、記録情報を吐出領域抽出部２３６から受け取り、記録画像を形成する。また、記録画像形成部２３４は、隠し記号の場所情報および内容情報をコード化したバーコードを上記記録画像に重畳する。そして、記録部２００は、記録画像形成部２３４が形成した記録画像に基づいて被記録物２２０に記録を行う（Ｓ１０４）。この場合に、記録部２００は、上記バーコードを黒色のインクで被記録物２２０に記録する。次に、記録部２００は、色インクが乾く程度の所定の時間が経過するまで待機する（Ｓ１０６）。所定の時間が経過した場合（Ｓ１０６：Ｙｅｓ）、搬送ローラ２１２が逆回転して、記録画像が記録された被記録物２２０を記録を開始する位置まで搬送方向と逆方向へ搬送する。そして、吐出領域抽出部２３６が抽出した領域に基づいて、記録部２００は、記録画像が記録された被記録物２２０に隠し記号を記録し（Ｓ１０８）、本フローチャートに示す記録部２００の動作は終了する。ステップＳ１０４からＳ１０８までの他の例として、吐出領域抽出部２３６が抽出した記録情報内の領域において、記録部２００が色インクのドット間に蛍光インクのドットを吐出することにより、一回の搬送中に記録画像と隠し記号とを被記録物２２０へ記録してもよい。
【００２５】
上記説明から明らかなように、本実施形態の記録装置２０によれば、特定の記録装置２０から記録された原本であることを隠し記号によりその原本において後に示すことができると共に、記録された原本が光学的な複写装置を用いて複写された場合に、隠し記号が検出できないことで複写物が原本ではないことを判別することができる。
【００２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２７】
【図１】本発明の一実施形態に係る記録システム１０の構成を示す図である。
【図２】被記録物２２０に記録された記録画像４０の一例を示す図である。
【図３】記録装置２０の動作の一例を示すフローチャートである。
【符号の説明】
【００２８】
１０  記録システム、２０  記録装置、３０  ＰＣ、４０  記録画像、４２  領域、４４  領域、４６  領域、４８  バーコード、２００  記録部、２０２  本体、２０４  キャリッジ、２０６  記録ヘッド、２０８  インクカートリッジ、２１０  ガイド軸、２１２  搬送ローラ、２２０  被記録物、２３０  制御部、２３２  隠し記号格納部、２３４  記録画像形成部、２３６  吐出領域抽出部、２３８  記録情報取得部、２４０  記録媒体
【図１】
2005170007.tif 000003
【図２】
2005170007.tif 000004
【図３】
2005170007.tif 000005